(57)【要約】【課題】二次著作物となる楽曲などのコンテンツの著作権と、そのコンテンツの原著作物の著作権とを適切に保護することができるようにする。【解決手段】  トラック１乃至トラックｎの複数のトラックにより構成される楽音データを、トラックLとトラックRの２つのトラックにミックスダウンする場合、トラック１乃至トラックｎのデータの使用（利用）状況が記述された利用状況保持トラックを生成する。利用状況保持トラックには、トラック１乃至トラックｎのそれぞれのデータの使用時間の情報と、トラック１乃至トラックｎのそれぞれに設定された一次著作権情報である著作権情報１乃至著作権情報ｎが含まれる。ミックスダウンが終了した後、トラックL、トラックR、および利用状況保持トラックに対して、ミックスダウンを行ったユーザを著作権者とする二次著作権情報が設定される。本発明は、デジタルミキサーに適用することができる。【選択図】図８
2006072422.tif 000002
【特許請求の範囲】
【請求項１】
ユーザの操作に基づいて、複数のトラックからなる楽音データを、前記複数のトラックのそれぞれのデータを使用して編集し、前記複数のトラックからなる楽音データを原著作物とする二次著作物であって、より少ない数のトラックからなる楽音データを生成する第１の生成手段と、
前記第１の生成手段により生成された前記楽音データにおいて、原著作物の楽音データの各トラックのデータが、それぞれどのように使用されたかを表す情報を記述した使用情報トラックを生成する第２の生成手段と、
前記第１の生成手段により生成された前記楽音データ、および前記第２の生成手段により生成された使用情報トラックのデータに、原著作物の楽音データを編集したユーザを著作権者とする第１の著作権情報を設定する設定手段と
を備えることを特徴とする情報処理装置。
【請求項２】
原著作物である前記複数のトラックからなる楽音データのそれぞれのトラックに、前記トラックのデータを作成した作成者を著作権者とする第２の著作権情報が設定されている
ことを特徴とする請求項１に記載の情報処理装置。
【請求項３】
前記第１の著作権情報または第２の著作権情報には、少なくとも、
前記第１の著作権情報または第２の著作権情報が設定されているデータを再生できる回数を表す再生回数制限の情報と、
前記第１の著作権情報または第２の著作権情報が設定されているデータの単位時間あたりの使用料金を表す情報とが含まれる
ことを特徴とする請求項２に記載の情報処理装置。
【請求項４】
前記第１の生成手段により生成された楽音データを再生する場合、前記第１の著作権情報に基づいて、前記楽音データの再生可否が判定される
ことを特徴とする請求項３に記載の情報処理装置。
【請求項５】
使用情報トラックには、少なくとも、
前記複数のトラックのそれぞれのデータの使用時間に関する情報と、
前記複数のトラックのそれぞれのトラックに対応する前記第２の著作権情報とが含まれる
ことを特徴とする請求項３に記載の情報処理装置。
【請求項６】
前記第１の生成手段により生成された楽音データを再生する場合、
前記使用情報トラックに含まれる前記使用時間に関する情報、および前記第２の著作権情報に基づいて、一次著作権使用料が算出され、
前記第１の著作権情報に基づいて、二次著作権使用料が算出され、
前記一次著作権使用料、および前記二次著作権使用料に基づいて、前記楽音データの再生に対する課金情報が生成される
ことを特徴とする請求項５に記載の情報処理装置。
【請求項７】
ユーザの操作に基づいて、複数のトラックからなる楽音データを、前記複数のトラックのそれぞれのデータを使用して編集し、前記複数のトラックからなる楽音データを原著作物とする二次著作物であって、より少ない数のトラックからなる楽音データを生成する第１の生成ステップと、
前記第１の生成ステップの処理により生成された前記楽音データにおいて、原著作物の楽音データの各トラックのデータが、それぞれどのように使用されたかを表す情報を記述した使用情報トラックを生成する第２の生成ステップと、
前記第１の生成ステップの処理により生成された前記楽音データ、および前記第２の生成ステップの処理により生成された使用情報トラックのデータに、原著作物の楽音データを編集したユーザを著作権者とする第１の著作権情報を設定する設定ステップと
を含むことを特徴とする情報処理方法。
【請求項８】
ユーザの操作に基づいて、複数のトラックからなる楽音データを、前記複数のトラックのそれぞれのデータを使用して編集し、前記複数のトラックからなる楽音データを原著作物とする二次著作物であって、より少ない数のトラックからなる楽音データの生成を制御する第１の生成制御ステップと、
前記第１の生成制御ステップの処理により生成された前記楽音データにおいて、原著作物の楽音データの各トラックのデータが、それぞれどのように使用されたかを表す情報を記述した使用情報トラックの生成を制御する第２の生成制御ステップと、
前記第１の生成制御ステップの処理により生成された前記楽音データ、および前記第２の生成ステップの処理により生成された使用情報トラックのデータに、原著作物の楽音データを編集したユーザを著作権者とする第１の著作権情報の設定を制御する設定制御ステップと
をコンピュータに実行させることを特徴とするプログラム。
【請求項９】
ユーザの操作に基づいて、複数のトラックからなる楽音データを、前記複数のトラックのそれぞれのデータを使用して編集し、前記複数のトラックからなる楽音データを原著作物とする二次著作物であって、より少ない数のトラックからなる楽音データの生成を制御する第１の生成制御ステップと、
前記第１の生成制御ステップの処理により生成された前記楽音データにおいて、原著作物の楽音データの各トラックのデータが、それぞれどのように使用されたかを表す情報を記述した使用情報トラックの生成を制御する第２の生成制御ステップと、
前記第１の生成制御ステップの処理により生成された前記楽音データ、および前記第２の生成ステップの処理により生成された使用情報トラックのデータに、原著作物の楽音データを編集したユーザを著作権者とする第１の著作権情報の設定を制御する設定制御ステップと
をコンピュータに実行させるプログラムが記録されていることを特徴とする記録媒体。
【発明の詳細な説明】
【技術分野】
【０００１】
本発明は、情報処理装置および方法、プログラム並びに記録媒体に関し、特に、二次著作物となる楽曲などのコンテンツの著作権と、そのコンテンツの原著作物の著作権とを適切に保護することができるようにする情報処理装置および方法、プログラム並びに記録媒体に関する。
【背景技術】
【０００２】
従来の音楽配信は、個別に録音された複数トラックからなるオーディオデータを、いわゆるミックスダウン（もしくは、トラックダウンとも称される）という手法を用いてステレオ化（すなわち２つのチャンネルに変更）し、レコードやＣＤといった記憶媒体に記憶させて販売することが主流であった。通常、一般のリスナーは、音楽を、ＣＤ、カセットテープ、レコード、その他の媒体を用いて聴いている。これらは、いずれも現在は２チャンネル、つまりステレオのメディアである。よって、４〜48以上のトラック数を、編集して、２トラック（すなわち、２チャンネルのステレオ）に変更するミックスダウンが行われる。
【０００３】
このような、記録媒体を介した音楽配信に対して、最近では、楽音データを消費者に流通するビジネスとして、ステレオ化されたデジタルのオーディオデータに対して、エンコード（圧縮・符号化）を施して、インターネットに接続されたサーバに配置し、インターネットを介して、ユーザが所望の楽曲データをダウンロードし、デコード（解凍・復号）を行うことにより再生するという、新たな音楽配信方法が普及し始めている。
【０００４】
例えば、ドラム、ベース、ピアノ、およびボーカルから構成される楽曲を製作する場合、まず、レコーディングスタジオにドラム、ベース、ピアノのそれぞれの演奏者、およびボーカリストが集められ、ドラマーによって演奏されたドラムパート、ベーシストによって演奏されたベースパート、ピアニストによって演奏されたピアノパート、およびボーカリストによって演奏されたボーカルパートが、それぞれデジタルオーディオレコーダによって録音される。楽曲プロデューサは、録音された４つのパートのオーディオトラックを、デジタルオーディオレコーダからそれぞれ再生し、各パートのレベルを調整しながら、２トラックのデータに合成する。従来、インターネットを介して配信される楽音データも、ＣＤ（Compact Disk）や、ＭＤ（Mini Disk）に記録され、販売されている楽音データと同様に、ステレオ信号にミックスダウンされたものである。
【０００５】
また、デジタルオーディオデータによる音楽配信サービスの普及に伴い、例えば、作曲、編曲といった、楽曲の作成に精通したユーザからは、ミックスダウンされた後の完成された音楽を聴くのみではなく、複数パートからなる楽曲のうち、特定のパートだけを取り出して聞いたり、その特定パートを編集したり、新たなパートを加えるといった、ミックスダウン後の編集不可能な楽音データでは実現できない、新たな要求が高まっている。
【０００６】
例えば、上述したドラム、ベース、ピアノ、ボーカルからなる楽曲データにおいて、ピアニストが、その楽曲データに含まれているピアノパートのみを取り出して、そのパートのみの楽音データを聞いたり、編集したいという要求である。しかしながら、上述したように、ミックスダウン後の楽音データからは、ピアノパートのみの楽音データを取り出すことはできない。
【０００７】
そこで出願人は、複数のトラックからなる楽音データにおいて、個々のトラックを独立して管理し、個々のトラックの著作権情報を付加して配信する方法を提案した（例えば、特許文献１参照）。
【０００８】
これにより、ユーザは、楽曲のなかの所望のパート（例えば、ピアノ）のみを取り出して聞いたり、編集することができるとともに、ユーザにより利用されたパートに対応するトラックの著作権情報に基づいて、例えば、課金を行うなど、適切に楽曲の著作権を保護することができる。
【０００９】
一方、近年では、インターネットなどを利用したフリーマーケット、アフェリエイトサービスなどのように、ユーザ自身がネットワークを利用したビジネスを手掛ける機会が増えており、当然、ユーザが自分で作成した楽音データなどのコンテンツを、ネットワークを介して販売することもできる。
【００１０】
そこで、例えば、クラブＤＪなど、楽曲の編集に精通したユーザが、特許文献１に記載された技術を利用して、素材となるオーディオデータを、複数のトラックのオーディオデータとして収集し、これら複数のトラックのオーディオデータをユーザ自身がミックスダウン（リミックス）し、リミックスした楽音データを、Ｗｅｂを介して配信したいというニーズも高まっている。
【００１１】
【特許文献１】特開２００１−２２９２８１号公報
【発明の開示】
【発明が解決しようとする課題】
【００１２】
しかしながら、リミックスした楽曲を配信（販売）する場合、権利者の許諾を得る必要がある。たとえば、ユーザがある楽曲のピアノのパートに他の音を加えて編集した場合、編集された作品（楽曲）は、ピアノのパートを原著作物とする二次著作物となり、二次著作物の著作者はユーザとなるが、同時にピアノのパートの演奏者も編集された作品の権利者となる。すなわち、リミックスされた作品はユーザの作品であるが、もともとの作品（原著作物）の権利者も、二次著作物（リミックスされた新しい作品）についての権利を同等に持っていることになる。
【００１３】
従来の技術では、二次著作物であるリミックスされた楽曲の著作権を管理できないという課題があり、また、リミックスされた楽曲における原著作物の著作権を適切に保護できないという課題があった。
【００１４】
本発明はこのような状況に鑑みてなされたものであり、二次著作物となる楽曲などのコンテンツの著作権と、そのコンテンツの原著作物の著作権とを適切に保護することができるようにするものである。
【課題を解決するための手段】
【００１５】
本発明の情報処理装置は、ユーザの操作に基づいて、複数のトラックからなる楽音データを、複数のトラックのそれぞれのデータを使用して編集し、複数のトラックからなる楽音データを原著作物とする二次著作物であって、より少ない数のトラックからなる楽音データを生成する第１の生成手段と、第１の生成手段により生成された楽音データにおいて、原著作物の楽音データの各トラックのデータが、それぞれどのように使用されたかを表す情報を記述した使用情報トラックを生成する第２の生成手段と、第１の生成手段により生成された楽音データ、および第２の生成手段により生成された使用情報トラックのデータに、原著作物の楽音データを編集したユーザを著作権者とする第１の著作権情報を設定する設定手段とを備えることを特徴とする。
【００１６】
原著作物である複数のトラックからなる楽音データのそれぞれのトラックに、トラックのデータを作成した作成者を著作権者とする第２の著作権情報が設定されているようにすることができる。
【００１７】
前記第１の著作権情報または第２の著作権情報には、少なくとも、前記第１の著作権情報または第２の著作権情報が設定されているデータを再生できる回数を表す再生回数制限の情報と、前記第１の著作権情報または第２の著作権情報が設定されているデータの単位時間あたりの使用料金を表す情報とが含まれるようにすることができる。
【００１８】
前記第１の生成手段により生成された楽音データを再生する場合、第１の著作権情報に基づいて、楽音データの再生可否が判定されるようにすることができる。
【００１９】
使用情報トラックには、少なくとも、複数のトラックのそれぞれのデータの使用時間に関する情報と、複数のトラックのそれぞれのトラックに対応する第２の著作権情報とが含まれるようにすることができる。
【００２０】
前記第１の生成手段により生成された楽音データを再生する場合、使用情報トラックに含まれる使用時間に関する情報、および第２の著作権情報に基づいて、一次著作権使用料が算出され、第１の著作権情報に基づいて、二次著作権使用料が算出され、一次著作権使用料、および二次著作権使用料に基づいて、楽音データの再生に対する課金情報が生成されるようにすることができる。
【００２１】
本発明の情報処理方法は、ユーザの操作に基づいて、複数のトラックからなる楽音データを、複数のトラックのそれぞれのデータを使用して編集し、複数のトラックからなる楽音データを原著作物とする二次著作物であって、より少ない数のトラックからなる楽音データを生成する第１の生成ステップと、第１の生成ステップの処理により生成された楽音データにおいて、原著作物の楽音データの各トラックのデータが、それぞれどのように使用されたかを表す情報を記述した使用情報トラックを生成する第２の生成ステップと、第１の生成ステップの処理により生成された楽音データ、および第２の生成ステップの処理により生成された使用情報トラックのデータに、原著作物の楽音データを編集したユーザを著作権者とする第１の著作権情報を設定する設定ステップとを含むことを特徴とする。
【００２２】
本発明のプログラムは、ユーザの操作に基づいて、複数のトラックからなる楽音データを、複数のトラックのそれぞれのデータを使用して編集し、複数のトラックからなる楽音データを原著作物とする二次著作物であって、より少ない数のトラックからなる楽音データの生成を制御する第１の生成制御ステップと、第１の生成制御ステップの処理により生成された楽音データにおいて、原著作物の楽音データの各トラックのデータが、それぞれどのように使用されたかを表す情報を記述した使用情報トラックの生成を制御する第２の生成制御ステップと、第１の生成制御ステップの処理により生成された楽音データ、および前記第２の生成ステップの処理により生成された使用情報トラックのデータに、原著作物の楽音データを編集したユーザを著作権者とする第１の著作権情報の設定を制御する設定制御ステップとをコンピュータに実行させることを特徴とする。
【００２３】
本発明の記録媒体は、ユーザの操作に基づいて、複数のトラックからなる楽音データを、複数のトラックのそれぞれのデータを使用して編集し、複数のトラックからなる楽音データを原著作物とする二次著作物であって、より少ない数のトラックからなる楽音データの生成を制御する第１の生成制御ステップと、第１の生成制御ステップの処理により生成された楽音データにおいて、原著作物の楽音データの各トラックのデータが、それぞれどのように使用されたかを表す情報を記述した使用情報トラックの生成を制御する第２の生成制御ステップと、第１の生成制御ステップの処理により生成された楽音データ、および第２の生成ステップの処理により生成された使用情報トラックのデータに、原著作物の楽音データを編集したユーザを著作権者とする第１の著作権情報の設定を制御する設定制御ステップとをコンピュータに実行させるプログラムが記録されていることを特徴とする。
【００２４】
本発明の情報処理装置および方法、並びにプログラムにおいては、ユーザの操作に基づいて、複数のトラックからなる楽音データが、複数のトラックのそれぞれのデータを使用して編集され、複数のトラックからなる楽音データを原著作物とする二次著作物であって、より少ない数のトラックからなる楽音データが生成され、生成された楽音データにおいて、原著作物の楽音データの各トラックのデータが、それぞれどのように使用されたかを表す情報を記述した使用情報トラックが生成され、生成された楽音データ、および使用情報トラックのデータに、原著作物の楽音データを編集したユーザを著作権者とする第１の著作権情報が設定される。
【発明の効果】
【００２５】
本発明によれば、二次著作物となる楽曲などのコンテンツの著作権と、そのコンテンツの原著作物の著作権とを適切に保護することができる。
【発明を実施するための最良の形態】
【００２６】
以下に本発明の実施の形態を説明するが、本明細書に記載した発明と、発明の実施の形態との対応関係を例示すると、次のようになる。この記載は、本明細書に記載されている発明をサポートする実施の形態が明細書に記載されていることを確認するためのものである。従って、明細書には記載されているが、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２７】
さらに、この記載は、明細書に記載されている発明が、全て請求されていることを意味するものではない。換言すれば、この記載は、明細書に記載されている発明であって、この出願では請求されていない発明の存在、すなわち、将来、分割出願されたり、補正により出願、または追加される発明の存在を否定するものではない。
【００２８】
請求項１に記載の情報処理装置は、ユーザ（例えば、楽曲の編集に精通したユーザ）の操作に基づいて、複数のトラックからなる楽音データ（例えば、図４のマルチトラックの楽音データ）を、前記複数のトラックのそれぞれのデータを使用して編集し、前記複数のトラックからなる楽音データを原著作物とする二次著作物であって、より少ない数のトラック（例えば、図８のトラックLとトラックR）からなる楽音データを生成する第１の生成手段（例えば、図７のステップS２３の処理を実行する図６の楽音データ混合処理部７６）と、前記第１の生成手段により生成された前記楽音データにおいて、原著作物の楽音データの各トラックのデータが、それぞれどのように使用されたかを表す情報を記述した使用情報トラック（例えば、図８の利用状況保持トラック）を生成する第２の生成手段（例えば、図７のステップS２４の処理を実行する図６の楽音データ混合処理部７６）と、前記第１の生成手段により生成された前記楽音データ、および前記第２の生成手段により生成された使用情報トラックのデータに、原著作物の楽音データを編集したユーザを著作権者とする第１の著作権情報（例えば、図８の二次著作権情報）を設定する設定手段（例えば、図７のステップS２７の処理を実行する図６の著作権情報処理部７４）とを備える。
【００２９】
請求項２に記載の情報処理装置は、原著作物である前記複数のトラックからなる楽音データのそれぞれのトラックに、前記トラックのデータを作成した作成者（例えば、演奏家）を著作権者とする第２の著作権情報（例えば、図４の著作権情報１乃至著作権情報ｎ）が設定されているようにすることができる。
【００３０】
請求項３に記載の情報処理装置は、前記第１の著作権情報または第２の著作権情報には、少なくとも、前記第１の著作権情報または第２の著作権情報が設定されているデータを再生できる回数を表す再生回数制限の情報（例えば、図５の再生回数制限）と、前記第１の著作権情報または第２の著作権情報が設定されているデータの単位時間あたりの使用料金を表す情報（例えば、図５の使用料）とが含まれるようにすることができる。
【００３１】
請求項４に記載の情報処理装置は、前記第１の生成手段により生成された楽音データを再生する場合、前記第１の著作権情報に基づいて、前記楽音データの再生可否が判定される（例えば、図１１のステップS５５の処理により判定される）ようにすることができる。
【００３２】
請求項５に記載の情報処理装置は、使用情報トラックには、少なくとも、前記複数のトラックのそれぞれのデータの使用時間に関する情報（例えば、図９の「ＩＮ」と「ＯＵＴ」の組み合わせにより記述されるデータ）と、前記複数のトラックのそれぞれのトラックに対応する前記第２の著作権情報（例えば、図９の著作権情報１乃至著作権情報ｎ）とが含まれるようにすることができる。
【００３３】
請求項６に記載の情報処理装置は、前記第１の生成手段により生成された楽音データを再生する場合、前記使用情報トラックに含まれる前記使用時間に関する情報、および前記第２の著作権情報に基づいて、一次著作権使用料が算出され（例えば、図１４のステップＳ１３９の処理により算出され）、前記第１の著作権情報に基づいて、二次著作権使用料が算出され（例えば、図１４のステップＳ１４１の処理により算出され）、前記一次著作権使用料、および前記二次著作権使用料に基づいて、前記楽音データの再生に対する課金情報が生成される（例えば、図１４のステップＳ１４２の処理により生成される）ようにすることができる。
【００３４】
請求項７に記載の情報処理方法は、ユーザ（例えば、楽曲の編集に精通したユーザ）の操作に基づいて、複数のトラックからなる楽音データ（例えば、図４のマルチトラックの楽音データ）を、前記複数のトラックのそれぞれのデータを使用して編集し、前記複数のトラックからなる楽音データを原著作物とする二次著作物であって、より少ない数のトラック（例えば、図８のトラックLとトラックR）からなる楽音データを生成する第１の生成ステップ（例えば、図７のステップS２３の処理）と、前記第１の生成ステップの処理により生成された前記楽音データにおいて、原著作物の楽音データの各トラックのデータが、それぞれどのように使用されたかを表す情報を記述した使用情報トラック（例えば、図８の利用状況保持トラック）を生成する第２の生成ステップ（例えば、図７のステップS２４の処理）と、前記第１の生成ステップの処理により生成された前記楽音データ、および前記第２の生成ステップの処理により生成された使用情報トラックのデータに、原著作物の楽音データを編集したユーザを著作権者とする第１の著作権情報（例えば、図８の二次著作権情報）を設定する設定ステップ（例えば、図７のステップS２７の処理）とを含む。
【００３５】
請求項８に記載のプログラムは、ユーザ（例えば、楽曲の編集に精通したユーザ）の操作に基づいて、複数のトラックからなる楽音データ（例えば、図４のマルチトラックの楽音データ）を、前記複数のトラックのそれぞれのデータを使用して編集し、前記複数のトラックからなる楽音データを原著作物とする二次著作物であって、より少ない数のトラック（例えば、図８のトラックLとトラックR）からなる楽音データの生成を制御する第１の生成制御ステップ（例えば、図７のステップS２３の処理）と、前記第１の生成制御ステップの処理により生成された前記楽音データにおいて、原著作物の楽音データの各トラックのデータが、それぞれどのように使用されたかを表す情報を記述した使用情報トラック（例えば、図８の利用状況保持トラック）の生成を制御する第２の生成制御ステップ（例えば、図７のステップS２４の処理）と、前記第１の生成制御ステップの処理により生成された前記楽音データ、および前記第２の生成ステップの処理により生成された使用情報トラックのデータに、原著作物の楽音データを編集したユーザを著作権者とする第１の著作権情報（例えば、図８の二次著作権情報）の設定を制御する設定制御ステップ（例えば、図７のステップS２７の処理）とをコンピュータに実行させる。
【００３６】
請求項９に記載の記録媒体は、ユーザ（例えば、楽曲の編集に精通したユーザ）の操作に基づいて、複数のトラックからなる楽音データ（例えば、図４のマルチトラックの楽音データ）を、前記複数のトラックのそれぞれのデータを使用して編集し、前記複数のトラックからなる楽音データを原著作物とする二次著作物であって、より少ない数のトラック（例えば、図８のトラックLとトラックR）からなる楽音データの生成を制御する第１の生成制御ステップ（例えば、図７のステップS２３の処理）と、前記第１の生成制御ステップの処理により生成された前記楽音データにおいて、原著作物の楽音データの各トラックのデータが、それぞれどのように使用されたかを表す情報を記述した使用情報トラック（例えば、図８の利用状況保持トラック）の生成を制御する第２の生成制御ステップ（例えば、図７のステップS２４の処理）と、前記第１の生成制御ステップの処理により生成された前記楽音データ、および前記第２の生成ステップの処理により生成された使用情報トラックのデータに、原著作物の楽音データを編集したユーザを著作権者とする第１の著作権情報（例えば、図８の二次著作権情報）の設定を制御する設定制御ステップ（例えば、図７のステップS２７の処理）とをコンピュータに実行させるプログラムが記録されている。
【００３７】
以下、図面を参照して、本発明の実施の形態について説明する。図１は、本発明に係る楽曲利用システムの一実施の形態を示す図である。同図において、録音ユニット１１は、個々のトラックの楽音データの入力を受け付け、複数のトラックからからなる（以下、マルチトラックと称する）楽音データを生成する。このとき、生成されるマルチトラックの楽音データに対して、録音ユニット１１は、個々のトラックに対応づけて、そのトラックのデータの作成者（例えば、演奏者）を著作権者とする一次著作権情報を付加する。
【００３８】
編集ユニット１２は、録音ユニット１１により生成された楽音データを編集するユニットであり、例えば、マルチトラックの楽音データを複数取得し、それらの楽音データを素材データとし、素材データのうち、ユーザが所望のトラックのデータを組み合わせるなどして、新たにマルチトラックの楽音データを生成する。そして、生成されたマルチトラックの楽音データを再生し、各トラックのデータを、ＣＤ（Compact Disk）や、ＭＤ（Mini Disk）に記録され、販売されている楽音データと同様に、２チャンネル（２トラック）のステレオ信号にミックスダウンする。すなわち、ユーザは、編集ユニット１２を利用して、楽曲のリミックスを行うことができる。
【００３９】
また、このとき、ミックスダウンされる楽音データに対して、編集ユニット１２は、素材となるデータ（各トラックのデータ）の一次著作権情報が含まれるデータを生成するとともに、楽音データの編集を行ったユーザ（例えば、ミキサー、ＤＪなど）を著作権者とする二次著作権情報を付加する。
【００４０】
再生ユニット１３は、編集ユニット１２により編集（ミックスダウン）された楽音データを取得して、再生するとともに、一次著作権情報と二次著作権情報を管理サーバ３１に送信する。
【００４１】
管理サーバ３１は、著作権情報に関する情報が集約されて記憶されているサーバであり、録音ユニット１１乃至再生ユニット１３と通信し、必要に応じて著作権に関する情報の提供などを行う。また、必要に応じて楽音データが管理サーバ３１に記憶されるようにしてもよい。
【００４２】
さらに、管理サーバ３１は、再生ユニット１３から送信される一次著作権情報と二次著作権情報とに基づいて、楽音データの再生の許可または不許可の判定を行い、課金情報の生成などの処理を行う。また、生成された課金情報をユーザと、図示せぬ決済サーバなどに送信して楽音データの利用に対する課金処理の実行を制御する。
【００４３】
録音ユニット１１乃至再生ユニット１３は、それぞれ通信機能を有しており、それぞれ互いに通信可能となるように構成されるとともに、管理サーバ３１と通信可能となるように構成されている。録音ユニット１１乃至再生ユニット１３は、まとめて１つの筐体（機器）として構成されるようにしてもよいし、それぞれ独立した機器として構成されるようにしてもよい。
【００４４】
また、録音ユニット１１乃至再生ユニット１３、および管理サーバ３１は、それぞれインターネット、ＬＡＮ（Local Area Network）などのネットワークにより互いに接続されるようにしてもよいし、専用のケーブルなどにより接続されるようにしてもよい。
【００４５】
この例では、例えば、プロミュージシャンなどの演奏家がスタジオにある録音ユニット１１を用いて、マルチトラックの楽音データを提供し、編集ユニット１２を保有するユーザであって、クラブＤＪなどの楽曲の編集に精通したユーザが、ネットワークを介して、上述したマルチトラックの楽音データを取得して、取得した楽音データの楽曲をリミックスすることを想定している。また、一般のユーザは、再生ユニット１３を保有しており、自分が気に入ったクラブＤＪによるリミックスの楽音データを、例えば、ネットワークを介して取得して、再生ユニット１３を利用して聴くものとする。
【００４６】
なお、この場合、リミックスの楽音データは、録音ユニット１１を用いて生成されたマルチトラックの楽音データを原著作物とする、二次著作物となり、原著作物の著作権者は、上述した演奏家となり、二次著作物の著作権者は、上述したクラブＤＪになる。原著作物の著作権情報が、上述した一次著作権情報に対応し、二次著作物の著作権情報が、上述した二次著作権情報に対応している。
【００４７】
図２は、録音ユニット１１の内部構成例を示すブロック図である。同図において、楽音データ入力部５１は、マイクなどの入力機器から入力される楽音をデジタルデータに変換し、楽音データ保存部５３に出力する。楽音データ保存部５３は、例えば、ＨＤＤ（Hard Disk Drive）などにより構成され、楽音データ入力部５１から入力された楽音データをトラック単位に保存（記憶）する。
【００４８】
楽音データ出力部５２は、必要に応じて、楽音データ保存部５３に記憶されている楽音データの表示、再生などを行う。
【００４９】
著作権情報処理部５４は、個々のトラックのデータに対応する著作権情報の入力を受け付け、それらの著作権情報を、各トラックのデータに対応づけて、一次著作権情報として付加する。また、著作権情報処理部５４は、例えば、各トラックのデータを所定の暗号アルゴリズムで暗号化するための鍵を生成し、その鍵を用いて、各トラックのデータと一次著作権情報とを暗号化し、両者を不可分なデータとする。
【００５０】
通信処理部５５は、ネットワーク、ケーブルなどを介して、編集ユニット１２、管理サーバ３１など他の機器との通信を行う。
【００５１】
次に、図３のフローチャートを参照して、録音ユニット１１による一次著作権情報設定処理について説明する。
【００５２】
ステップＳ１において、楽音データ入力部５１は、楽音データ（入力された楽音に基づくデータ）の入力を受け付け、ステップＳ２において、楽音データの入力が終了したか否かを判定し、まだ楽音データの入力が終了していないと判定された場合、処理は、ステップＳ１に戻る。
【００５３】
ステップＳ２において、楽音データの入力が終了したと判定された場合、処理は、ステップＳ３に進む。このとき、楽音データは、１つの（または複数の）トラックのデータとして楽音データ保存部５３に記憶されることになる。
【００５４】
ステップＳ３において、著作権情報処理部５４は、楽音データ保存部５３に記憶されている各トラックのデータについて、トラック毎に著作権情報の入力を受け付ける。このとき、著作権情報の入力は、例えば、その楽音データの著作権者（例えば、演奏家）により行われる。
【００５５】
ステップＳ５において、著作権処理部５４は、ステップＳ３の処理で入力が受け付けられた著作権情報に基づいて、各トラックに一次著作権情報を設定する。これにより、図４に示されるように、一次著作権情報が設定される。
【００５６】
図４は、トラックと著作権情報の例を示す図である。同図に示されるように、トラック１のデータに著作権情報１が対応付けられている。ここで、著作権情報１は、トラック１のデータに対応する楽音を演奏した演奏家を著作権者とする著作権情報となる。
【００５７】
同様に、トラック２乃至トラックｎのデータに著作権情報２乃至著作権情報ｎが対応付けられている。著作権情報２乃至著作権情報ｎは、トラック２乃至トラックｎのデータに対応する楽音を演奏した、それぞれの演奏家を著作権者とする著作権情報となる。
【００５８】
図５は、著作権情報の構成例を示す図である。この例では、著作権情報を構成する項目「著作権者ＩＤ」、「使用料」、「再生回数制限」、「コピー回数制限」、「有効期限」、・・・が設けられている。
【００５９】
項目「著作権者ＩＤ」は、そのトラックのデータの著作権者を特定する情報であり、その内容は、著作権者を一意に識別可能な番号などが設定される。この例では、「０００１」と記載されている。
【００６０】
項目「使用料」は、そのトラックのデータを再生するなどして使用した場合に課金される、時間単位の料金を表す情報であり、その内容は、例えば、１秒あたりの使用料金（円）が設定される。この例では、「1円／秒」と記載されている。
【００６１】
項目「再生回数制限」は、そのトラックのデータを再生できる回数を表す情報であり、この例では、「１０回」と記載されている。
【００６２】
項目「コピー回数制限」は、そのトラックのデータをコピー可能な回数を表す情報であり、この例では、「3回」と記載されている。
【００６３】
楽音データは、例えば、DRM（Digital Right Management）などの、コンテンツの著作権の管理システムにより著作権が保護されており、著作権の管理システムに基づいて、再生回数制限、コピー回数制限が設定される。
【００６４】
項目「有効期限」は、この著作権情報の有効期限を表す情報であり、この例では、「2005/12/31（西暦2005年12月31日を表す）」と記載されている。
【００６５】
この他著作権情報として、例えば、リミックスの方法を制限する情報などが必要に応じて設定される。
【００６６】
図４に戻って、このように構成される著作権情報１乃至著作権情報ｎのそれぞれが、一次著作権情報として、トラック１乃至トラックｎのデータに対応づけられて設定（付加）される。
【００６７】
図３に戻って、ステップＳ５の処理のあと、ステップＳ６において、著作権情報処理部５４は、各トラックのデータを所定の暗号アルゴリズムで暗号化するための鍵（暗号鍵）を生成する。そして、ステップＳ７において、ステップＳ６の処理で生成された鍵を用いて、トラックの楽音データと、そのトラックに対応付けられた著作権情報を暗号化する。これにより、トラックのデータと著作権情報とが不可分となる。なお、トラックの楽音データと、そのトラックに対応付けられた著作権情報を暗号化する代わりに、著作権情報に基づいて生成されたメッセージダイジェストなどをトラックのデータに付加することにより、トラックのデータと著作権情報とが不可分となるようにしてもよい。要は、著作権情報の改竄が防止されるようにすればよい。
【００６８】
ステップＳ８において、著作権情報処理部５４は、鍵の情報を著作権情報（またはトラックのヘッダ部分など）に付加し、それらの情報を楽音データ保存部５３に記憶する。
【００６９】
このようにして、楽音データを構成する個々のトラックのデータに対して一次著作権情報が設定される。また、一次著作権情報が設定されたマルチトラックの楽音データは、例えば、ネットワークを介して、あるいはまた、管理サーバ３１を介して、他のユーザ（例えば、編集ユニット１２を保有するユーザ）にも提供される。
【００７０】
図６は、編集ユニット１２の内部構成例を示すブロック図である。同図において、楽音データ入力部７１は、マイクなどの入力機器から入力される楽音をデジタルデータに変換するとともに、ＣＤやＭＤなどの記録媒体に記録されている楽音データを取得し、楽音データ保存部７３に出力する。楽音データ保存部７３は、例えば、ＨＤＤ（Hard Disk Drive）などにより構成され、楽音データ入力部７１から入力された楽音データ、または、通信処理部７５を介して取得された楽音データをトラック単位に保存（記憶）する。
【００７１】
楽音データ出力部７２は、必要に応じて、楽音データ保存部５３に記憶されている楽音データの表示、再生などを行う。
【００７２】
楽音データ混合処理部７６は、例えば、楽音データ保存部７３に記憶されているマルチトラックの楽音データの楽曲をリミックスするなどの編集処理を行う。楽曲のリミックスは、例えば、マルチトラックの楽音データのうち、所望のトラックのデータを所望の部分（時間）だけ取り出して組み合わせるなどして、マルチトラックの楽音データを２チャンネル（２トラック）のステレオ信号のデータにミックスダウンすることにより行われる。
【００７３】
そして、楽音データ混合処理部７６は、リミックスされた楽音データを楽音データ保存部７３に記憶する。このとき、保存される楽音データには、リミックスの過程で利用されたトラックのデータの利用状況と、それらのトラックに対応づけられた一次著作権情報が含まれる利用状況保持トラックが付加される。なお、利用状況保持トラックについては、図８乃至図１０を参照して後述する。
【００７４】
著作権情報処理部７４は、楽音データ混合処理部７６によりリミックスされた楽音データに対応づけて、入力される二次著作権情報を付加する。また、著作権情報処理部５４は、例えば、リミックスされた楽音データを所定の暗号アルゴリズムで暗号化するための鍵を生成し、その鍵を用いて、リミックスされた楽音データと二次著作権情報とを暗号化し、両者を不可分なデータとする。
【００７５】
通信処理部７５は、ネットワーク、ケーブルなどを介して、録音ユニット１１、再生ユニット１３、管理サーバ３１など他の機器との通信を行う。
【００７６】
次に、図７のフローチャートを参照して、編集ユニット１２による二次著作権情報設定処理について説明する。
【００７７】
ステップＳ２１において、楽音データ混合処理部７６は、編集操作の入力を受け付ける。このとき、例えば上述したように、楽曲をリミックスする編集操作の入力が受け付けられる。
【００７８】
ステップＳ２２において、楽音データ混合処理部７６は、編集操作が終了したか否かを判定し、まだ、編集操作が終了していないと判定された場合、処理は、ステップＳ２１に戻る。例えば、ユーザにより図示せぬ操作部が操作され、編集の終了が指令されると、ステップＳ２２において、編集操作が終了したと判定され、処理は、ステップＳ２３に進む。
【００７９】
ステップS２３において、楽音データ混合処理部７６は、マルチトラックの楽音データを、例えば、左右２チャンネルのステレオ信号に対応する２トラックの楽音データにミックスダウンしたミックスダウントラックを生成する。
【００８０】
ステップＳ２４において、楽音データ混合処理部７６は、利用状況保持トラックを生成する。
【００８１】
ステップＳ２５において、著作権情報処理部７４は、著作権情報の入力を受け付ける。ステップＳ２６において、著作権情報処理部７４は、著作権情報の入力が完了したか否かを判定し、まだ著作権情報の入力が完了していないと判定された場合、処理は、ステップＳ２５に戻る。ステップＳ２６において、著作権情報の入力が完了したと判定された場合、処理は、ステップＳ２７に進む。このとき、著作権情報の入力は、例えば、ミックスダウンされた楽音データの著作権者（例えば、編集操作を行ったクラブＤＪ）により行われる。
【００８２】
ステップＳ２７において、著作権情報処理部７４は、ステップＳ２５の処理で入力が受け付けられた著作権情報に基づいて、リミックスされた２トラックの楽音データに二次著作権情報を設定する。
【００８３】
図８乃至図１０を参照してさらに詳しく説明する。図８は、マルチトラックの楽音データが２トラックの楽音データにミックスダウンされる例を示す図である。この例では、トラック１乃至トラックｎの各トラックにより構成されるマルチトラックの楽音データが、２チャンネルのステレオ信号のうちの左側の信号に対応するデータのトラック（トラックＬ）と、２チャンネルのステレオ信号のうちの右側の信号に対応するデータのトラック（トラックＲ）との２トラック（ミックスダウントラック）により構成される楽音データにミックスダウンされている（ステップS２３）。なお、トラック１乃至トラックｎのデータには、それぞれに対応する一次著作権情報として、著作権情報１乃至著作権情報ｎが設定されている。
【００８４】
そして、２トラックの楽音データに対応して、上述した利用状況保持トラックが生成され（ステップＳ２４）、二次著作権情報が設定されている（ステップＳ２７）。すなわち、図８に示されるように、マルチトラックの楽音データが２トラックの楽音データにミックスダウンされた場合、ミックスダウン後の２トラックのデータと、利用状況保持トラックに対して二次著作権情報が設定され、ミックスダウンされるマルチトラックの楽音データの各トラックに設定されていた著作権情報は、利用状況保持トラックに含まれることになる。なお、二次著作権情報も、図５を参照して上述した場合と同様に構成されるものとする。
【００８５】
利用状況保持トラックは、例えば、図９に示されるように構成される。この例では、利用状況保持トラックが、トラックＬの各トラック利用状況９１と、トラックＲの各トラック利用状況９２により構成されている。
【００８６】
トラックＬの各トラック利用状況９１には、トラック１乃至トラックｎの各トラックの利用状況が記録されており、トラック１の利用状況として、「ＩＮ０：００：００  ＯＵＴ０：２０：３０」、・・・「ＩＮ０：２２：００  ＯＵＴ０：２５：３０」、・・・と記述されている。これは、トラック１のデータが第１回目に、開始時点（０：００：００）から２０分３０秒後の時点（０：２０：３０）までの間利用（使用）され、その後（・・・）、例えば、第ｎ回目に、開始時点から２２分後の時点（０：２２：００）から、開始時点から２５分３０秒後の時点（０：２５：３０）までの間利用（使用）されたことを表している。すなわち、各トラックの利用開始時点と利用終了時点が「ＩＮ」と「ＯＵＴ」の組み合わせで表されている。
【００８７】
そして、トラックＬの各トラック利用状況９１には、トラック２・・・トラックｎに関しても、トラック１の場合と同様に、利用状況が記述されている。
【００８８】
また、トラックＬの各トラック利用状況９１には、各トラックの一次著作権情報である、著作権情報１乃至著作権情報ｎが含まれている。このようにすることで、トラックＬを再生するとき、各トラックの利用状況と、各トラックの一次著作権情報に基づいて、課金情報を生成することができ、楽音データの利用状況に応じた適正な課金を行うことが可能となる。
【００８９】
なお、トラックＲの各トラックの利用状況９２も、トラックＬの各トラック利用状況９１と同様に、各トラックの利用状況が記述されたデータと、各トラックの一次著作権情報により構成されている。
【００９０】
図７に戻って、ステップＳ２７の処理の後、ステップＳ２８において、著作権情報処理部７４は、トラックＬ、トラックＲ、および利用状況保持トラックのデータを所定の暗号アルゴリズムで暗号化するための鍵（暗号鍵）を生成する。そして、ステップＳ２９において、ステップＳ２８の処理で生成された鍵を用いて、トラックＬとトラックＲの楽音データと、利用状況保持トラックのデータ、および二次著作権情報を暗号化する。これにより、上述した各トラックのデータと二次著作権情報とが不可分となる。なお、トラックのデータと、二次著作権情報を暗号化する代わりに、二次著作権情報に基づいて生成されたメッセージダイジェストなどをトラックのデータに付加することにより、トラックのデータと著作権情報とが不可分となるようにしてもよい。要は、二次著作権情報の改竄が防止されるようにすればよい。
【００９１】
ステップＳ３０において、著作権情報処理部７４は、鍵の情報を著作権情報（またはトラックのヘッダ部分など）に付加し、それらの情報を楽音データ保存部７３に記憶する。
【００９２】
このようにして、リミックスされた楽音データに対して二次著作権情報が設定される。また、二次次著作権情報が設定された楽音データは、例えば、ネットワークを介して、あるいはまた、管理サーバ３１を介して、他のユーザ（例えば、再生ユニット１３を保有するユーザ）にも提供される。
【００９３】
図１０は、再生ユニット１３の内部構成例を示すブロック図である。同図において、楽音データ保存部１１２は、例えば、ＨＤＤ（Hard Disk Drive）などにより構成され、例えば、通信処理部１１４を介して取得された楽音データをトラック単位に保存（記憶）する。
【００９４】
楽音データ出力部１１１は、必要に応じて、楽音データ保存部１１２に記憶されている楽音データの表示、再生などを行う。
【００９５】
著作権情報処理部１１３は、楽音データ保存部１１２に記憶されている楽音データの二次著作権情報、および利用状況保持トラックの情報を抽出し、通信処理部１１４を介して、管理サーバ３１に送信する。また、著作権情報処理部１１３は、管理サーバ３１から送信されてくる情報に基づいて、楽音データ出力部１１１を制御することにより、楽音データの再生を許可したり、または再生を拒絶する（エラーにする）。
【００９６】
通信処理部１１４は、ネットワーク、ケーブルなどを介して、編集ユニット１２、管理サーバ３１など他の機器との通信を行う。
【００９７】
次に、図１１のフローチャートを参照して、再生ユニット１３による楽音データの再生処理について説明する。ここでは、例えば、再生ユニット１３により、ネットワークを介して、図８に示されるようなリミックス（ミックスダウン）された楽音データが取得されて、楽音データ保存部１１２に記憶されているものとし、再生ユニット１３のユーザにより、その楽音データの再生が指令されたものとする。
【００９８】
ステップＳ５１において、通信処理部１１４は、例えば、ネットワークを介して管理サーバ３１にログインする。このとき、例えば、ログインに必要となるＩＤ、パスワードなどが管理サーバ３１に送信される。ステップＳ５２において、通信処理部１１４は、管理サーバ３１にログインできたか否かを判定する。管理サーバ３１により、再生ユニット１３（再生ユニット１３のユーザ）が正しく認証されれば、ログインできたと判定され、処理は、ステップＳ５３に進む。なお、管理サーバ３１の処理については、図１２を参照して後述する。
【００９９】
ステップＳ５３において、著作権情報処理部１１３は、通信処理部１１４を介して楽音データの著作権情報を管理サーバ３１に送信する。ここでは、暗号化された楽音データが上述した鍵を用いて復号され、二次著作権情報が抽出されて送信される。
【０１００】
ステップＳ５４において、著作権情報処理部１１３は、通信処理部１１４を介して管理サーバ３１からの応答を受信する。このとき、例えば、管理サーバ３１から、二次著作権情報の再生回数制限に情報に基づく再生可否の判定結果が送信される。
【０１０１】
ステップＳ５５において、著作権情報処理部１１３は、ステップＳ５４で受信した管理サーバ３１からの応答に基づいて、楽音データの再生が許可されたか否かを判定し、再生が許可されたと判定された場合、ステップＳ５６に進み、利用状況保持トラックの情報を、管理サーバ３１に送信する。
【０１０２】
ステップＳ５７において、著作権情報処理部１１３は、楽音データ出力部１１１を制御して、楽音データを再生させる。これにより、リミックスされた楽曲が図示せぬスピーカなどから出力され、ユーザはリミックスされた楽曲を聴くことができる。
【０１０３】
ステップＳ５８において、著作権情報処理部１１３は、管理サーバ３１から送信される課金情報を、通信処理部１１４を介して受信し、その情報を、例えば、図示せぬ表示部などを介して表示し、ユーザに通知する。
【０１０４】
ステップＳ５９において、通信処理部１１４は、管理サーバ３１からログアウトする。
【０１０５】
なお、ステップＳ５２において、ログインできなかったと判定された場合、処理は、ステップ６０に進み、エラー処理が実行され、その後処理は終了される。このとき、例えば図示せぬ表示部などを介して管理サーバ３１にログインできなかったことが表示され、ユーザに通知される。
【０１０６】
また、ステップＳ５５において、再生が許可されなかったと判定された場合、処理は、ステップＳ６１に進み、エラー処理が実行され、その後処理は終了される。このとき、例えば図示せぬ表示部などを介して再生が許可されなかったことが表示され、ユーザに通知される。
【０１０７】
このようにして、リミックスされた楽音データが再生される。二次著作権情報と、利用状況保持トラックの情報が管理サーバ３１に送信されるようにしてので、二次著作物となるリミックスされた楽音データであっても、一次著作権情報と、二次著作権情報に基づいて、その楽音データの著作権と、原著作物の著作権とを適切に保護することができる。
【０１０８】
次に、図１２のフローチャートを参照して、管理サーバ３１の処理について説明する。この処理は、再生ユニット１３において、図１１を参照して上述した再生処理が実行されているとき、並行して実行される。
【０１０９】
ステップＳ８１において、管理サーバ３１は、再生ユニット１３からログイン要求があったか否かを判定し、ログイン要求があったと判定されるまで待機する。図１１のステップＳ５１において、再生ユニット１３が管理サーバ３１にログインする処理を実行すると、ステップＳ８１において、ログイン要求があったと判定され、処理は、ステップＳ８２に進む。
【０１１０】
ステップＳ８２において、管理サーバ３１は、ユーザ（再生ユニット１３）を認証する。認証は、例えば、ＩＤ、パスワードなどに基づいて行われる。ステップＳ８３において、管理サーバ３１は、ステップＳ８２において行われた認証の結果、正当なユーザであったか否かを判定し、正当なユーザであると判定された場合、処理は、ステップＳ８４に進み、再生ユニット１３のログインを許可する。
【０１１１】
ステップＳ８５において、管理サーバ３１は、著作権情報を受信する。このとき、図１１のステップＳ５３において、再生ユニット１３から送信された二次著作権情報が受信される。
【０１１２】
ステップＳ８６において、管理サーバ３１は、図１３を参照して後述する再生許可判定処理を実行する。これにより、楽音データの再生可否が判定される。
【０１１３】
ここで、図１３のフローチャートを参照して、図１２のステップＳ８６の再生許可判定処理の詳細について説明する。
【０１１４】
ステップＳ１１１において、管理サーバ３１は、ステップＳ８５で受信された著作権情報の再生回数制限（図５）をチェックする。著作権情報の再生回数制限の値は、例えば、その楽音データが再生される都度、１ずつデクリメントされる。
【０１１５】
ステップＳ１１２において、管理サーバ３１は、ステップＳ１１１でチェックした再生回数制限の値に基づいて、楽音データを、再生可能か否かを判定する。いまの場合、再生回数制限の値が１以上であれば、楽音データを再生可能と判定される。
【０１１６】
ステップＳ１１２において、楽音データが再生可能であると判定された場合、処理はステップＳ１１３に進み、管理サーバ３１は、再生ユニット１３に再生許可を表す情報を送信し、これが、図１１のステップＳ５４において、管理サーバ３１からの応答として、再生ユニット１３により受信される。
【０１１７】
ステップＳ１１３の処理の後、ステップＳ１１４において、管理サーバ３１は、再生許可を表す情報が送信されたことを表すフラグをオンにする。
【０１１８】
一方、ステップＳ１１２において、楽音データを再生できないと判定された場合、処理は、ステップＳ１１５に進み、管理サーバ３１は、再生ユニット１３にエラーを送信し、これが、図１１のステップＳ５４において、管理サーバ３１からの応答として、再生ユニット１３により受信される。ステップＳ１１５の処理の後、ステップＳ１１６において、管理サーバ３１は、上述したフラグをオフにする。
【０１１９】
このようにして、楽音データの再生の許可が判定される。
【０１２０】
図１２にもどって、ステップＳ８６の処理の後、ステップＳ８７において、管理サーバ３１は、再生が許可されたか否かを判定する。上述したフラグがオンである場合、再生が許可されたと判定され、処理は、ステップＳ８８に進み、管理サーバ３１は、図１４を参照して後述する課金情報生成処理を実行する。これにより、楽音データの再生に対する課金情報が生成される。
【０１２１】
ここで、図１４のフローチャートを参照して、図１２のステップＳ８８の課金情報生成処理の詳細について説明する。
【０１２２】
ステップＳ１３１において、管理サーバ３１は、利用状況保持トラックの情報をチェックする。このとき、図１１のステップＳ５６において、再生ユニット１３から送信された利用状況保持トラックの情報がチェックされる。ここでは、図９を参照して上述した場合と同様に、利用状況保持トラックの情報には、トラック１乃至トラックｎの利用（使用）状況が記述されたデータが含まれているものとする。
【０１２３】
ステップＳ１３２において、管理サーバ３１は、変数ｉに値１をセットする。
【０１２４】
ステップＳ１３３において、管理サーバ３１は、ｉ番目のトラックの使用時間（利用時間）を算出する。例えば、変数ｉの値が１の場合、トラック１の利用状況について、「ＩＮ」と「ＯＵＴ」の組み合わせにより記述されるデータに基づいて、利用開始時点（「ＩＮ」）から利用終了時点（「ＯＵＴ」）までの時間の合計が算出される。
【０１２５】
ステップＳ１３４において、管理サーバ３１は、変数ｉの値を１だけインクリメントする。ステップＳ１３５において、管理サーバ３１は、変数ｉの値がｎを超えたか否かを判定し、まだ超えていないと判定された場合、処理は、ステップＳ１３３に戻る。すなわち、トラック１乃至トラックｎの各トラックの使用時間が算出されるまで、ステップＳ１３３乃至Ｓ１３５の処理が繰り返される。
【０１２６】
ステップＳ１３６において、管理サーバ３１は、著作権情報の使用料をチェックする。このとき、利用状況保持トラックに含まれる、トラック１乃至トラックｎの各トラックに対応づけられた一次著作権情報である著作権情報１乃至著作権情報ｎの中の使用料（図５）の内容がチェックされる。ここで使用料は、上述したように、各トラックのデータについて、単位時間あたりの使用料金を表す情報である。
【０１２７】
ステップＳ１３７において、管理サーバ３１は、トラック毎の使用料を算出する。例えば、トラック１の使用料を算出する場合、ステップＳ１３３の処理により算出されたトラック１の使用時間に対して、ステップＳ１３６の処理によりチェックされたトラック１の単位時間あたり使用料金（著作権情報１の中に含まれている）が乗じられ、トラック１の使用料が算出される。トラック２乃至トラックｎの使用料も同様にして算出されることになる。
【０１２８】
ステップＳ１３８において、管理サーバ３１は、全てのトラックの使用料を算出したか否かを判定し、まだ全てのトラックの使用料を算出していないと判定された場合、処理は、ステップＳ１３７に戻る。
【０１２９】
ステップＳ１３８において、全てのトラックの使用料を算出したと判定された場合、処理は、ステップＳ１３９に進み、管理サーバ３１は、各トラック（いまの場合、トラック１乃至トラックｎ）の使用料を合計して、一次著作権使用料を算出する。
【０１３０】
ステップＳ１４０において、管理サーバ３１は、二次著作権情報をチェックする。このとき、図１２のステップＳ８５の処理で受信された二次著作権情報がチェックされる。
【０１３１】
ステップＳ１４１において、管理サーバ３１は、二次著作権使用料を算出する。ここで、二次著作権使用料は、二次著作権情報の中の使用料（図５）の内容に基づいて算出される。
【０１３２】
ステップＳ１４２において、管理サーバ３１は、ステップＳ１３９の処理により算出された一次著作権使用料と、ステップＳ１４１の処理により算出された二次著作権使用料とに基づいて、課金情報を生成する。このとき、一次著作権使用料と、二次著作権使用料とが合計されて課金されるようにしてもよいし、別々に課金されるようにしてもよい。一次著作権使用料は、上述した原著作物の著作権者（例えば、演奏家）に支払われるべきものであり、二次著作権使用料は、上述した二次著作物の著作権者（例えば、リミックスしたクラブＤＪ）に支払われるものなので、別々に課金されるようにした方が管理しやすい。
【０１３３】
ステップＳ１４３において、管理サーバ３１は、ステップＳ１４２に生成した課金情報を、再生ユニット１３、ネットワークを介して接続される図示せぬ課金サーバなどに送信し、再生された楽音データの利用（使用）に対する課金処理を実行させる。ここで、送信された課金情報は、図１１のステップＳ５８において、再生ユニット１３にも受信される。
【０１３４】
図１２に戻って、ステップＳ８３において、正当なユーザではないと判定された場合、処理は、ステップＳ８９に進み、管理サーバ３１は、エラーを送信し、図１１のステップＳ５４において、再生ユニット１３により、これが受信される。
【０１３５】
また、ステップＳ８７において、再生が許可されなかったと判定された場合、ステップＳ８８の処理は、スキップされ、処理は終了する。
【０１３６】
このようにして、管理サーバ３１の処理が行われる。二次著作権情報に含まれる再生回数制限に基づいて、楽音データの再生を許可するようにしたので、リミックスされた楽音データ（二次著作物）の著作権を適切に保護することができる。また、一次著作権使用料と二次著作権使用料に基づいて、課金情報が生成されるようにしたので、二次著作物であるリミックスされた楽音データが、再生されるとき、原著作物の著作権者と、二次著作物の著作権者のそれぞれに対する著作権使用料を適切に課金することができる。
【０１３７】
なお、上述した一連の処理は、ハードウエアにより実行させることもできるし、ソフトウエアにより実行させることもできる。この場合、例えば、録音ユニット１１乃至再生ユニット１３には、図１５に示されるようなコンピュータ３００が含まれる。
【０１３８】
図１５において、CPU（Central Processing Unit）３０１は、ROM（Read Only Memory）
３０２に記憶されているプログラム、または記憶部３０８からRAM（Random Access Memory）３０３にロードされたプログラムに従って各種の処理を実行する。RAM３０３にはまた、CPU３０１が各種の処理を実行する上において必要なデータなども適宜記憶される。
【０１３９】
CPU３０１、ROM３０２、およびRAM３０３は、バス３０４を介して相互に接続されている。このバス３０４にはまた、入出力インタフェース３０５も接続されている。
【０１４０】
入出力インタフェース３０５には、キーボード、マウスなどよりなる入力部３０６、CRT(Cathode Ray Tube)、LCD(Liquid Crystal display)などよりなるディスプレイ、並びにスピーカなどよりなる出力部３０７、ハードディスクなどより構成される記憶部３０８、モデム、ネットワークインタフェースカードなどより構成される通信部３０９が接続されている。通信部３０９は、インターネットを含むネットワークを介しての通信処理を行う。
【０１４１】
入出力インタフェース３０５にはまた、必要に応じてドライブ３１０が接続され、磁気ディスク、光ディスク、光磁気ディスク、或いは半導体メモリなどのリムーバブルメディア３１１が適宜装着され、それらから読み出されたコンピュータプログラムが、必要に応じて記憶部３０８にインストールされる。
【０１４２】
上述した一連の処理をソフトウエアにより実行させる場合には、そのソフトウエアを構成するプログラムが、インターネットなどのネットワークや、リムーバブルメディア３１１などからなる記録媒体からインストールされる。
【０１４３】
なお、この記録媒体は、図１５に示される、装置本体とは別に、ユーザにプログラムを配信するために配布される、プログラムが記録されている磁気ディスク（フロッピディスク（登録商標）を含む）、光ディスク（CD-ROM(Compact Disk-Read Only Memory),DVD(Digital Versatile Disk)を含む）、光磁気ディスク（MD（Mini-Disk）（登録商標）を含む）、もしくは半導体メモリなどよりなるリムーバブルメディア３１１により構成されるものだけでなく、装置本体に予め組み込まれた状態でユーザに配信される、プログラムが記録されているROM３０２や、記憶部３０８に含まれるハードディスクなどで構成されるものも含む。
【０１４４】
なお、本明細書において上述した一連の処理を実行するステップは、記載された順序に沿って時系列的に行われる処理はもちろん、必ずしも時系列的に処理されなくとも、並列的あるいは個別に実行される処理をも含むものである。
【図面の簡単な説明】
【０１４５】
【図１】本発明に係る楽曲利用システムの一実施の形態を示す図である。
【図２】図１の録音ユニットの内部構成例を示す図である。
【図３】一次著作権情報設定処理を説明するフローチャートである。
【図４】トラックのデータと一次著作権情報との対応付けの例を示す図である。
【図５】著作権情報の構成例を示す図である。
【図６】図１の編集ユニットの内部構成例を示す図である。
【図７】二次著作権情報設定処理を説明するフローチャートである。
【図８】ミックスダウンされる楽音データの例を示す図である。
【図９】利用状況保持トラックの構成例を示す図である。
【図１０】図１の再生ユニットの内部構成例を示すブロック図である。
【図１１】再生処理を説明するフローチャートである。
【図１２】管理サーバの処理を説明するフローチャートである。
【図１３】再生許可判定処理を説明するフローチャートである。
【図１４】課金情報生成処理を説明するフローチャートである。
【図１５】コンピュータの構成例を示すブロック図である。
【符号の説明】
【０１４６】
１１  録音ユニット，  １２  編集ユニット，  １３  再生ユニット，  ３１  管理サーバ，  ５４  著作権情報処理部，  ７３  楽音データ保存部，  ７６  楽音データ混合処理部，  ７４  著作権情報処理部，  １１１  楽音データ出力部，  １１３  著作権情報処理部
【図１】
2006072422.tif 000003
【図２】
2006072422.tif 000004
【図３】
2006072422.tif 000005
【図４】
2006072422.tif 000006
【図５】
2006072422.tif 000007
【図６】
2006072422.tif 000008
【図７】
2006072422.tif 000009
【図８】
2006072422.tif 000010
【図９】
2006072422.tif 000011
【図１０】
2006072422.tif 000012
【図１１】
2006072422.tif 000013
【図１２】
2006072422.tif 000014
【図１３】
2006072422.tif 000015
【図１４】
2006072422.tif 000016
【図１５】
2006072422.tif 000017